(57)【要約】 【課題】  簡易な構造により本体底面の結露を防止する。【解決手段】  冷蔵庫本体１０の底面１４の一側縁側に、ファンモータ２０がブラケット３０を介して取り付けられる。ブラケット３０は、ファンモータ２０が搭載された細長い基板３１の両端部に、取付板３３が一段高い位置で形成され、かつ一方の側面に遮蔽板４０が形成された形状である。ブラケット３０は、取付板３３の取付溝３４を脚１５のねじ棒１８に挿通し、ねじ棒１８がねじ孔１９にねじ込まれて固定されることに伴い、取付板３３が脚１５の上面と底面１４Ａとの間に挟持されて固定される。このときブラケット３０は、右側面に開口部４８を有するダクトとして機能する。ファンモータ２０が駆動されると、下面側から外気が吸引されて一旦ブラケット３０内に流入したのち、右側の開口部４８から吹き出され、冷蔵庫本体１０の底面１４に沿って右側縁に向けて流通する。【選択図】  図２
2005221193.tif 000002
【特許請求の範囲】
【請求項１】
冷凍装置によって内部が冷却される断熱箱体からなる冷却庫本体が、その底面に装着された脚で支持されたものにおいて、
前記冷却庫本体の底面に沿うように送風可能な送風装置がブラケットに装備され、このブラケットに前記脚に係合して取り付けられる取付部が設けられていることを特徴とする冷却庫。
【請求項２】
前記脚は、その上面に突設されたねじを前記冷却庫本体の底面にねじ込むことで装着され、前記ブラケットの前記取付部は、前記脚のねじ込みに伴いその上面と前記冷却庫本体の底面との間で挟持可能となっていることを特徴とする請求項１記載の冷却庫。
【請求項３】
前記ブラケットは、前記冷却庫本体の底面を横切るような細長い基板における長さ方向の両端部に、前記取付部が一段高い位置に設けられた形状であって、前記基板上には前記送風装置が上方に向けて送風する姿勢で搭載されて、この基板が前記冷却庫本体の底面と対向して取り付けられるようになっており、かつ前記ブラケットには、前記基板の長さ方向に沿った両側縁と前記冷却器本体の底面との間に構成される両開口部のうちの一方を閉鎖する遮蔽板が設けられていることを特徴とする請求項１または請求項２記載の冷却庫。
【請求項４】
前記ブラケットは、前記冷却庫本体の底面を横切るような細長い基板と、この基板の長さ方向の両端部で一段高い位置に設けられた前記取付部とからなり、前記基板上には前記送風装置が上方に向けて送風する姿勢で搭載されて、前記取付部により前記基板が前記冷却庫本体の底面と対向して取り付けられ、前記基板の長さ方向に沿った両側縁と前記冷却器本体の底面との間にともに開口部が形成される構成となっていることを特徴とする請求項１または請求項２記載の冷却庫。
【発明の詳細な説明】
【技術分野】
【０００１】
本発明は冷蔵庫等の冷却庫に関し、特に本体底面への結露を防止する手段を備えた冷却庫に関する。
【背景技術】
【０００２】
例えば冷蔵庫では、内部の冷蔵室が冷却されることに伴って本体の底面も冷却され、特に外気が高温多湿の状態であると、結露が生ずるおそれがある。従来、簡便に結露を防止する対策としては、冷蔵庫本体の底面に断熱シートを張るものが知られているが、この対策手段では、美観を損ねすなわち高級感に欠けたものとなり、またシート自体が水分を吸収すると、かびの発生等に繋がって衛生上芳しくない、といった不具合があった。  
一方、上記の不具合を一掃するべく別の対策として、冷蔵庫の上面に設けられた機械室において、冷凍装置の凝縮器等を冷却したあとの排熱が生成されることに着目し、この排熱を、冷蔵庫本体の背面等に別途に設けたダクトによって底面まで導き、底面を加熱することで結露の発生を防止したものが知られている（特許文献１）。
【特許文献１】特開平１１−６３７９０号公報
【発明の開示】
【発明が解決しようとする課題】
【０００３】
しかるに上記従来構造では、ダクトを背面等の全高にわたって設ける必要があることから、冷蔵庫の外形が嵩張り、またダクトの取り付け作業にも手間が掛かるという問題があった。  
本発明は上記のような事情に基づいて完成されたものである。
【課題を解決するための手段】
【０００４】
請求項１の発明は、冷凍装置によって内部が冷却される断熱箱体からなる冷却庫本体が、その底面に装着された脚で支持されたものにおいて、前記冷却庫本体の底面に沿うように送風可能な送風装置がブラケットに装備され、このブラケットに前記脚に係合して取り付けられる取付部が設けられている構成としたところに特徴を有する。  
請求項２の発明は、請求項１に記載のものにおいて、前記脚は、その上面に突設されたねじを前記冷却庫本体の底面にねじ込むことで装着され、前記ブラケットの前記取付部は、前記脚のねじ込みに伴いその上面と前記冷却庫本体の底面との間で挟持可能となっているところに特徴を有する。
【０００５】
請求項３の発明は、請求項１または請求項２に記載のものにおいて、前記ブラケットは、前記冷却庫本体の底面を横切るような細長い基板における長さ方向の両端部に、前記取付部が一段高い位置に設けられた形状であって、前記基板上には前記送風装置が上方に向けて送風する姿勢で搭載されて、この基板が前記冷却庫本体の底面と対向して取り付けられるようになっており、かつ前記ブラケットには、前記基板の長さ方向に沿った両側縁と前記冷却器本体の底面との間に構成される両開口部のうちの一方を閉鎖する遮蔽板が設けられているところに特徴を有する。
【０００６】
請求項４の発明は、請求項１または請求項２に記載のものにおいて、前記ブラケットは、前記冷却庫本体の底面を横切るような細長い基板と、この基板の長さ方向の両端部で一段高い位置に設けられた前記取付部とからなり、前記基板上には前記送風装置が上方に向けて送風する姿勢で搭載されて、前記取付部により前記基板が前記冷却庫本体の底面と対向して取り付けられ、前記基板の長さ方向に沿った両側縁と前記冷却器本体の底面との間にともに開口部が形成される構成となっているところに特徴を有する。
【発明の効果】
【０００７】
＜請求項１の発明＞
送風装置により、外気が冷却庫本体の底面に沿って流通するようになる。静止空気であるよりも、空気が移動する場合の方が湿度を低く抑えることができ、その分結露がし難くなる。送風装置をブラケットを介して底面に取り付けた構造であるから、断熱シートを張った場合とは違って美観を損ねることがなく、また水分を吸収する部分がないから、不衛生となるかび等の発生を心配する必要もない。冷却庫本体の底面に送風装置を設けるのであるから、冷却庫の嵩高を招くことがなく、しかもブラケットを脚と係合させて取り付けるだけであるから、取付構造も簡単となり、もって製造コストの低減等に寄与することができる。  
＜請求項２の発明＞
脚を冷却庫本体の底面にねじ込んで取り付ける際に、ブラケットの取付部が脚の上面と冷却庫本体の底面との間に挟持され、すなわち脚の取り付けに伴って、ブラケットひいては送風装置を取り付けることができる。ブラケットすなわち送風装置を、格別の工具を準備しないでも簡単に後付けすることができる。
【０００８】
＜請求項３の発明＞
ブラケットを冷却器本体の底面の一側縁に沿って、開口部を内側に向けた姿勢で取り付けると、送風装置により下方から吸引されて上方に吹き出された外気が、遮蔽板で遮蔽されることで、開口部から流出して底面に沿って反対側の側縁に向けて流れる。冷却庫本体の底面に沿って効率良く、かつ一様に送風することができる。もって、底面の全面にわたってむらなく結露の防止を図ることができる。
【０００９】
＜請求項４の発明＞
例えばブラケットを冷却器本体の底面における幅方向の中央部に取り付けると、送風装置により下方から吸引されて上方に吹き出された外気が、両側の開口部から流出して、それぞれ底面に沿って側縁に向けて流れる。特に、幅方向の寸法が大きい冷却庫に対して１箇所だけ適用しても、本体の底面に沿って効率良く、かつ一様に送風することができ、その結果、同じく底面の全面にわたってむらなく結露の防止を図ることができる。
【発明を実施するための最良の形態】
【００１０】
以下、本発明の実施形態を添付図面に基づいて説明する。  
＜実施形態１＞
本発明の実施形態１を図１ないし図７によって説明する。この実施形態では、業務用冷蔵庫に適用した場合を例示している。  
図１において、符号１０は冷蔵庫本体であって、前面に開口した断熱箱体により形成され、内部が冷蔵室１１となっており、冷蔵室１１の前面開口には、観音開き式の断熱扉１２が上下二段に分かれて装着されている。
【００１１】
冷蔵庫本体１０の底面１４の四隅には、詳しくは後記するように脚１５が装着され、底面１４が設置面Ｓから所定寸法浮いた状態で支持されている。冷蔵庫本体１０の上面には機械室１３が設けられて冷凍装置や電装箱等（図示せず）が装備され、冷凍装置により生成された冷気が冷蔵室１１内に循環供給されることで冷蔵室１１内が冷却保持され、断熱扉１２を開閉しつつ冷蔵室１１内に貯蔵物が出し入れされて収容されるようになっている。
【００１２】
さて、冷蔵庫本体１０の底面１４には、ファンモータ２０（本発明の「送風装置」に相当）が、ブラケット３０を介して取り付けられている。  
先に、冷蔵庫本体１０の底面１４に取り付けられる脚１５の構造、並びに取付構造について説明する。脚１５は、図２に示すように、上端に向けて次第に拡径した細長い逆円錐台形をなす脚本体１６を有し、その下端には、アジャスタ１７が上下の移動調節可能に設けられている。脚本体１６の上面には、ねじ棒１８が突設されている。一方、冷蔵庫本体１０の底面１４の四隅には、図示はしないが、裏側にナットを装着する等により、脚１５のねじ棒１８が螺合されるねじ孔１９が形成されている。
【００１３】
ファンモータ２０は、図３に示すように、合成樹脂材によって外形が扁平なブロック状に形成されたケース２１を備え、このケース２１内に円筒形状のシュラウド２２が形成されている。シュラウド２２内には、モータ２３が複数本の腕２４を介して同心にかつクリアランスを持って配設され、モータ２３の出力軸２３Ａに、複数枚の羽根２６を備えたファン２５が一体回転可能に接続された構造となっている。そして、モータ２３の駆動によってファン２５が回転駆動されることにより、同図の下方側から空気が吸引され、軸線方向に沿って上方に向けて吹き出されるようになっている。
【００１４】
一方、ブラケット３０は、金属板をプレス成形して形成されている。このブラケット３０は全体としては、図２に示すように、冷蔵庫本体１０の底面１４における奥行寸法にほぼ匹敵する長さと、ファンモータ２０のケース２１の一辺の長さよりも若干大きい幅寸法を持った帯状をなし、基板３１における長さ方向の両端に、上方に直角曲げされた端面板３２が形成され、その上端にさらに外方に直角曲げされた取付板３３が形成されている。端的には、細長い基板３１の両端部に、一段高くなった取付板３３が形成されている。基板３１から取付板３３までの高さ寸法は、図７に示されるように、ファンモータ２０のケース２１の厚さの約２倍である。また、同高さ寸法は、脚１５の長さの半分程度である。
【００１５】
基板３１の長さ方向の中央部には、図３に示すように、円形の通孔３６が開口されている。通孔３６の上面側には上記したファンモータ２０が、下面側にはファンカバー３８が取り付けられるようになっている。ファンカバー３８は金属板を曲げ加工しかつ溶接することによって、基板３１の幅のほぼ一杯に取り付けられる上面開放の浅い箱状に形成されている。ファンカバー３８には、その底面並びに全周面に、それぞれ長孔状の吸気口３９が並んで形成されている。ファンカバー３８は、通孔３６の下側を覆うようにして基板３１の下面に当てられ、溶接等によって固定されている。
【００１６】
また、基板３１における一方の側縁からは、遮蔽板４０が立ち上がり形成されている。その立ち上がり高さは、端面板３２と同じである。ブラケット３０は言い換えると、上面開放の細長い箱体における長さ方向に沿った一側面を開口し、その箱体の長さ方向の両端部の上面に、外方に曲げられた取付板３３を設けた構造であるとも言える。  
両取付板３３には、遮蔽板４０が設けられた側の端縁における幅方向の中央位置に、上記した脚１５の上面に突設されたねじ棒１８を径方向に挿入可能な取付溝３４が切られている。取付溝３４は、取付板３３の奥行方向の中央付近まで切り込まれている。
【００１７】
ファンモータ２０の取付構造としては、図３に示すように、ケース２１におけるブラケット３０の基板３１に当てられる面の四隅に、ねじ孔４３が切られている一方、基板３１の通孔３６の孔縁における対応した位置に、ねじ４２の挿通孔４４が開口されている。また、ファンカバー３８の底面１４の四隅には、上記したねじ孔４３、挿通孔４４と同心に整合するようにして、ドライバ（図示せず）を挿通する工具挿通孔４５（図４参照）が開口されている。
【００１８】
続いて、本実施形態の作用を説明する。まず、ファンモータ２０のアッセンブリＡが形成される。それには、ファンカバー３８を通孔３６の下面側に予め取り付けたブラケット３０に対して、シュラウド２２の下端を通孔３６内に嵌めて、ファンモータ２０が通孔３６の上面側に当てられる。次に、例えば先端にねじ４２を磁気吸着したドライバをファンカバー３８の工具挿通孔４５から通し、ねじ４２を通孔３６の孔縁の挿通孔４４に通してファンモータ２０のケース２１のねじ孔４３に螺合して締め付けることで固定される。  
ねじ止めは４箇所で行われ、これにより、ブラケット３０の基板３１における通孔３６の上面側にファンモータ２０が取り付けられ、ファン２５の下面側がファンカバー３８で覆われたアッセンブリＡが組み付けられる。なお、モータ２３からはリード線４７が引き出される。
【００１９】
このようなアッセンブリＡが、冷蔵庫本体１０の底面１４における正面から見た左側縁に沿って取り付けられる。それには、同底面１４の左側の前後に設けられた脚１５のねじ棒１８が緩められる。緩める量は、脚本体１６の上面と冷蔵庫本体１０の底面１４との間に、ブラケット３０の取付板３３の厚さよりも若干大きい隙間が空く程度である。  
左側の前後２本の脚１５が緩められたら、上記のように組み付けられたファンモータ２０のアッセンブリＡが、ブラケット３０の遮蔽板４０及び取付溝３４の開口を外側（正面から見た左側）に向けた姿勢で冷蔵庫本体１０の底面１４に当てられ、両取付溝３４を左側の前後の脚１５における底面１４との隙間に臨んだねじ棒１８に対して径方向に挿通しつつ、左側に摺動される。両ねじ棒１８が対応する取付溝３４の奥端に当たったところで、それ以上の摺動が規制され、そのとき遮蔽板４０は、冷蔵庫本体１０の左側面とほぼ面一となる。
【００２０】
そうしたら、両脚１５のねじ棒１８が再び締め付けられ、脚１５の上面と冷蔵庫本体１０の底面１４との間で取付板３３が挟み付けられることで、ブラケット３０が脚１５と併せて固定される。  
これにより、図７に示すように、冷蔵庫本体１０の底面１４の左側縁において、ファンモータ２０を装備したブラケット３０が設けられ、ここでブラケット３０の基板３１と冷蔵庫本体１０の底面１４との間は、前後両縁が端面板３２で、また左側縁が遮蔽板４０で閉鎖されていることから、ブラケット３０によって右側（内側）のみに開口部４８を有するダクトが構成された状態となる。
モータ２３から引き出されたリード線４７は、例えば冷蔵庫本体１０の底面１４を背面側に向かい、冷蔵庫本体１０の背面に沿って立ち上がって、機械室１３内の電装箱内の給電部と接続される。
【００２１】
冷蔵庫の稼働中は、ファンモータ２０には常時通電されて駆動される。ファンモータ２０が駆動されると、図７の矢線に示すように、ファンカバー３８の下面側から外気が吸引されて一旦ブラケット３０内に流入し、前後及び左側面が閉鎖されていることで右側の開口部４８から吹き出され、冷蔵庫本体１０の底面１４に沿って右側縁に向けて流通する。
すなわち、冷蔵庫本体１０の底面１４は、冷蔵室１１内の冷気で冷却されるために、接触した外気により結露が生ずる可能性があるが、上記のように、底面１４に沿って空気が流れる場合、静止空気であるときと比べると湿度が低く抑えられ、それだけ結露がし難くなる。
【００２２】
以上説明したように本実施形態によれば、ファンモータ２０によって冷蔵庫本体１０の底面１４に沿うように空気を流通させ、同底面１４に接触する空気の湿度を下げることで、結露が生ずることが防止される。  
ファンモータ２０をブラケット３０を介して冷蔵庫本体１０の底面１４に取り付けた構造であるから、例えば従来の断熱シートを張った場合とは違って美観を損ねることがなく、高級感も維持できる。水分を吸収する部分がないことから、不衛生となるかび等の発生を心配する必要がなく、またブラケット３０を取り付けるに当たり、仮に冷蔵庫本体１０の底面１４に既に結露していても、いちいち拭き取ることなくそのまま取り付けても構わない。
【００２３】
ファンモータ２０並びにブラケット３０は、冷蔵庫本体１０の底面１４といった言わばデッドスペースに配されるのであるから、冷蔵庫本体１０自体の嵩高を招くことがなく、背面を壁等に密着させて設置することもできる。  
しかも、ブラケット３０を取り付けるに当たっては、２本の脚１５を緩めて取付板３３を挟んだ後、再度締め直すだけでよく、ドリルやドライバ等の取付用の工具を使用することなく、短時間で能率良く取付作業を行うことができる。  
また、本実施形態のブラケット３０は、一側面が開口したダクトを構成するような形状であるから、冷蔵庫本体１０の底面１４の一側縁に沿って配することにより、同底面１４上を他方の側縁側に向けて効率良く、かつ一様に送風することができる。その結果、底面１４の全面にわたってむらなく結露の防止を図ることができる。
【００２４】
＜実施形態２＞
次に、本発明の実施形態２を図８ないし図１０によって説明する。この実施形態２は、主に横幅（間口）の大きい冷蔵庫に用いて好適な例を示しており、ファンモータ２０を装備したブラケット３０Ａの形状に変更が加えられている。  
このブラケット３０Ａは図８に示すように、上記実施形態１に示したブラケット３０と比べると、遮蔽板４０を除去した構造となっている。言い換えると、上面開放の細長い箱体において、長さ方向に沿った両側面にともに開口部４８が設けられた構造である。取付板３３を含むその他の形状、並びにファンモータ２０、ファンカバー３８の取付構造は、上記実施形態１と同様であって、同一機能を有する部位については、同一記号を付すことで重複した説明は省略する。
【００２５】
一方、横幅の大きい冷蔵庫では、図９及び図１０に示すように、冷蔵庫本体１０Ａの底面１４Ａの四隅に加えて、前後両側縁における横幅方向の中央部にも脚１５が取り付けられている。  
したがって、本実施形態のブラケット３０Ａを取り付けるに際しては、中央の２本の脚１５を緩めたのち、両取付板３３の取付溝３４を脚１５のねじ棒１８に対して径方向に挿通しつつ差し込まれ、所定まで差し込まれたら、両脚１５のねじ棒１８が再び締め付けられて、脚１５ともどもブラケット３０Ａが固定される。
【００２６】
これにより、冷蔵庫本体１０Ａの底面１４Ａにおける横幅方向の中央部において、ファンモータ２０を装備したブラケット３０Ａが設けられ、ここではブラケット３０Ａは、左右両面に開口部４８を有するダクトとして機能する。  
したがってファンモータ２０が駆動されると、図１０の矢線に示すように、ファンカバー３８の下面側から外気が吸引されて一旦ブラケット３０Ａ内に流入し、左右両側の開口部４８から吹き出されて、底面１４Ａに沿って左右両側縁に向けて流通する。
【００２７】
この実施形態２では、ブラケット３０Ａが両側面に開口したダクトを構成するような形状であるから、例えば横幅が大きくて脚１５が６本備えられた冷蔵庫では、中央の２本の脚１５を利用し、底面１４Ａの横幅方向の中央部にファンモータ２０のアッセンブリＢを１個備えるだけで、底面１４Ａの両側縁にまで送風することが可能となる。同じく底面１４Ａの全面にわたってむらなく結露の防止を図ることができる。
【００２８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）実施形態１において、ファンモータとして、吸引した空気を直角に曲げて幅広に送風することが可能なクロスフローファンを用いてもよい。この場合、このファンを装備するブラケットは、冷蔵庫本体の脚に取り付けられる機能のみを備えていればよい。  
（２）奥行寸法が大きい冷蔵庫については、ブラケットに対して２以上のファンモータを奥行方向に並べて備えてもよい。
【００２９】
（３）ファンモータのアッセンブリの配設位置は、実施形態１のような形式では、冷蔵庫本体の底面における左側縁のみに限らず、右側縁さらには前後いずれかの側縁に設けてもよい。また実施形態２のような形式では、奥行方向の中央部で前後に吹き出すように設けてもよい。  
（４）ファンモータから引き出されたリード線を、冷蔵庫本体の断熱壁中に通して機械室側と接続するようにすると、より見栄えに優れたものとなる。  
（５）本発明は上記実施形態に例示した冷蔵庫に限らず、冷蔵ショーケース、冷凍庫、急速凍結庫等、本体底面に結露するおそれのある冷却庫全般に広く適用することができる。
【図面の簡単な説明】
【００３０】
【図１】本発明の実施形態１に係る冷蔵庫の正面図
【図２】ファンモータのアッセンブリの取付構造を示す分解斜視図
【図３】アッセンブリの部分拡大断面図
【図４】アッセンブリが取り付けられた状態の斜視図
【図５】同底面図
【図６】同側面図
【図７】同正面図
【図８】実施形態２に係るファンモータのアッセンブリの斜視図
【図９】アッセンブリが取り付けられた状態の底面図
【図１０】同正面図
【符号の説明】
【００３１】
１０，１０Ａ…冷蔵庫本体（冷却庫本体）  １４，１４Ａ…（冷蔵庫本体の）底面  １５…脚  １８…ねじ棒  １９…ねじ孔  ２０…ファンモータ（送風装置）  ３０，３０Ａ…ブラケット  ３１…基板  ３２…通孔  ３３…取付板（取付部）  ３４…取付溝  ４０…遮蔽板  ４８…開口部  Ａ，Ｂ…ファンモータアッセンブリ
【図１】
2005221193.tif 000003
【図２】
2005221193.tif 000004
【図３】
2005221193.tif 000005
【図４】
2005221193.tif 000006
【図５】
2005221193.tif 000007
【図６】
2005221193.tif 000008
【図７】
2005221193.tif 000009
【図８】
2005221193.tif 000010
【図９】
2005221193.tif 000011
【図１０】
2005221193.tif 000012